(57)【要約】  本発明は、溶接電極の電極キャップ用マガジンのための充填レベル検出に関し、少なくとも１つの電極キャップ用チャネル（５）を有する電極キャップ用マガジンから成り、その中で少なくとも１つのキャップコンベヤ（６）が直線的に可動に配置され、好ましくはバネ力が適用され、キャップコンベヤ（６）は、電極キャップ用チャネル（５）に包含された電極キャップ（３）を、溶接ガンのアクセスのための取出し用開口部の方向に動かし、機械的に接続されたキャップコンベヤ（６）の要素は、計測面（８）として機能し、経路計測のためのセンサ（７）は、衝突する側及び／または固定側に配置され、センサ（７）は、計測ビームを計測面（８）に放って、センサ（７）と計測面（８）との間の距離を計測し、電極キャップ用マガジンに包含された電極キャップ（３）の正確な数は、センサ（７）によって検出された経路距離を評価することによって判断される。【選択図】図１
2022500247.tif 000002
【特許請求の範囲】
【請求項１】
溶接電極の電極キャップ用マガジンのための、充填レベル検出デバイスであって、少なくとも１つの電極キャップ用チャネル（５）を有する電極キャップ用マガジンを備え、前記電極キャップ用チャネル（５）の中に、直線的に可動で好ましくはバネ力によって荷重をかけられた、少なくとも１つのキャップコンベヤ（６）が配置され、前記キャップコンベヤ（６）は、前記電極キャップ用チャネル（５）に包含された前記電極キャップ（３）を、溶接ガンがアクセスするための取出し用開口部の方向に動かし、機械的に接続された前記キャップコンベヤ（６）の要素は、計測面（８）としての機能を有し、固定側において、距離を計測するためのセンサ（７）が配置され、前記センサ（７）は、計測ビームを前記計測面（８）に放ち、前記センサ（７）と前記計測面（８）との間の距離を計測し、前記電極キャップ用マガジンに包含された前記電極キャップ（３）の正確な数を、前記センサ（７）によって計測された距離を評価することによって判断することができる、充填レベル検出デバイス。
【請求項２】
計測面（８）は、前記キャップコンベヤ（６）に機械的に接続され、計測が、前記電極キャップ用チャネル（５）に平行に配置された計測用チャネル（９）において実行される、請求項１に記載の充填レベル検出デバイス。
【請求項３】
請求項１に記載されている、溶接電極の電極キャップ用マガジンのための、充填レベル検出デバイスの使用方法であって、前記電極キャップ用マガジンは、マガジンヘッド（１）及び取替可能マガジン（２）を備え、クイック解放デバイス（４及び４ａ）が、前記取替可能マガジン（２）を前記マガジンヘッド（１）に接続するために配置され、前記マガジンヘッド（１）及び前記取替可能マガジン（２）が接続されたときに、前記マガジンヘッド（１）及び前記取替可能マガジン（２）の所定の位置を保証するための、少なくとも１つのガイドデバイスが配置され、前記取替可能マガジン（２）は少なくとも１つの電極キャップ用チャネル（５）を有し、前記電極キャップ用チャネル（５）の中に少なくとも１つのキャップコンベヤ（６）は直線的に可動に配置され、好ましくはバネ力で荷重をかけられ、前記キャップコンベヤ（６）は、前記電極キャップ用チャネル（５）に包含された前記電極キャップ（３）を、前記マガジンヘッド（１）の方向に動かし、機械的に接続された前記キャップコンベヤ（６）の前記要素は、前記計測面（８）としての機能を有し、固定側において、距離を計測するためのセンサ（７）が配置され、前記センサ（７）は、計測ビームを前記計測面（８）に放ち、前記センサ（７）と前記計測面（８）との間の距離を計測し、前記電極キャップ用マガジンに包含された前記電極キャップ（３）の正確な数が、前記センサ（７）によって計測された距離を評価することによって判断される、充填レベル検出デバイスの使用方法。
【発明の詳細な説明】
【技術分野】
【０００１】
本発明は、溶接電極のための電極キャップ用マガジンの、充填レベル検出デバイスに関する。
【背景技術】
【０００２】
特に自動車産業において、スポット溶接が、金属シートとストリップとを接合させるために、自動生産ラインにおいて自動車の車体に使用されることが多い。
【０００３】
溶接ロボットは通常、スポット溶接を介して車体パネルを接続するために使用される。これらの溶接ロボットには溶接ガンが装着され、その各顎部には、電極キャップと呼ばれるスポット溶接電極が装着される。
【０００４】
これらの溶接ガンは、共に溶接されるよう位置付けられた、シート金属部品まで動かされる。共に溶接される金属シートに対する溶接ガンの正確な位置、及び互いに対する金属シートの配置は、自動的かつコンピュータの助けを伴って決定される。このような自動生産ラインにおいて、溶接作業は、可能な限り最短のサイクル時間で、中断することなく実行される。
【０００５】
その結果、特に電極キャップは高い摩耗を受ける。なぜなら、電極キャップの接触面は、溶接されるシート金属の車体パネルの各々に接触するからである。
【０００６】
この溶接作業において、共に溶接される重複した車体パネルを通して、電極間に電流が流れる。
【０００７】
この作業中、溶接領域における電極キャップの接触面で、変化が生じる。
【０００８】
頻繁に接触面縁部が平たくなり、これはマッシュルーミングと呼ばれ、接触表面積が大きくなることによって溶接条件を変化させる。
【０００９】
この変化が、電流の増加による妨害を受ける必要のないことを保証するために、電極キャップは、それらが受ける負荷及び生じる摩耗に依拠して、定期的に目直しされる。
【００１０】
多くの事例において、相互作用する溶接ガンの電極は、同じかまたは類似の範囲が摩耗することになり、したがって定期的かつ同じ時期に目直しされる必要がある。
【００１１】
特定の回数の目直し処理後、電極キャップから除去される材料の量が多いので、電極キャップは交換する必要がある。交換目的で、摩耗した電極キャップは、溶接電極シャフトから抜き取られる。溶接電極シャフトに新しい未使用の電極キャップを装着するために、通常は単純な実施形態のマガジンが使用される。これらのマガジンは、所定の位置の顎部を閉じることによって、溶接ガンが新しい電極キャップを取り付け、溶接ガンを互いに対して押圧することによって、溶接電極シャフト上のキャップの位置を確定する。マガジンは、溶接ガンによって接近される所定の位置に配置されなければならないので、これらのマガジンを所定の位置に残し、その場で手動によってマガジンを再充填する必要がある。
【００１２】
しかし、一般にこれは処理を中断する必要がある。なぜなら、活動しているロボットの運動範囲内で人が動くことは許可されないので、作業中に再充填を実施するのは安全基準のために不可能であるからである。
【００１３】
マガジンを取り換えることも、この欠点を排除するために提案されている。
【００１４】
例えば、独国特許発明第１９９０５４７７号明細書は、溶接電極の電極キャップ用マガジン、詳細には溶接ロボットの溶接ガン用マガジンを開示している。この解決策は、電極キャップを、キャップガイドに１列でマガジンに格納するよう配置することを提案している。このキャップガイドの外形は、電極キャップの形状に対応しており、そのため、このキャップガイドはマガジンの長手方向軸に平行であり、同じ位置に取出し用開口部を有する。この事例において、取出し用開口部は、溶接ガンのアクセス方向に十分離れて開けられており、その溶接キャップの各々は、その開口部をアクセス方向に位置付けられ、かつフルアクセスのために露出されている。
【００１５】
例えば、独国特許出願公開第１０２００９０５８９３７号明細書からの解決策も知られている。それは、処理の信頼性を保証するために、固定位置にマガジンヘッドを有し、電極キャップの交換マガジンは掛け金が掛けられる。
【００１６】
以前の公知の解決策における、１つの利点は、電極キャップの唯一のレベルインジケータを、インジケータによって監視することができること、及び完全に空の電極キャップは、検出または監視され得ないことである。
【００１７】
欧州特許公開第２０７２１７０号明細書の「Ｍａｇａｚｉｎｅ  ｕｎｉｔ  ｆｏｒ  ａ  ｓｐｏｔ  ｗｅｌｄｉｎｇ  ｃａｐ  ｃｈａｎｇｅｒ  ｆｏｒ  ａ  ｒｏｂｏｔｉｃ  ｏｒ  ｓｔａｔｉｏｎａｒｙ  ｓｐｏｔ  ｗｅｌｄｉｎｇ  ｄｅｖｉｃｅ」によると、誘導センサが使用され、それを用いて金属ピンを検出することができるが、正確な充填レベルを計測することはできない。
【００１８】
独国特許発明第２００００２７０号明細書の「Ｆｉｌｌ  Ｌｅｖｅｌ  ｉｎｄｉｃａｔｏｒ  ｆｏｒ  ｏｎｅ，  ｔｗｏ，  ａｎｄ  ｍｕｌｔｉ−ｒｏｗ  ａｍｍｕｎｉｔｉｏｎ  ｍａｇａｚｉｎｅｓ」は、機械式計数機構を提案している。
【００１９】
充填レベルが最小充填レベルを下回るときに、信号が出力される解決策が、独国特許発明第１９９０５４７７号明細書「Ｄｅｖｉｃｅ  ｆｏｒ  ｐｒｏｖｉｄｉｎｇ  ｅｌｅｃｔｒｏｄｅ  ｃａｐｓ  ｆｏｒ  ｗｅｌｄｉｎｇ  ｅｌｅｃｔｒｏｄｅｓ  ｏｆ  ａｕｔｏｍａｔｉｃ  ｗｅｌｄｉｎｇ  ｍａｃｈｉｎｅｓ」において提案されている。この解決策も、正確な充填レベルを計測することができない。したがって公知の解決策においては、電極キャップ用マガジンの再充填時間または取替時間を、個々に計画することは不可能である。
【先行技術文献】
【特許文献】
【００２０】
【特許文献１】独国特許発明第１９９０５４７７号明細書
【特許文献２】独国特許出願公開第１０２００９０５８９３７号明細書
【特許文献３】欧州特許公開第２０７２１７０号明細書
【特許文献４】独国特許発明第２００００２７０号明細書
【発明の概要】
【発明が解決しようとする課題】
【００２１】
本発明は、以前の公知の解決策における難点を可能な限り回避し、電極キャップ用マガジンの充填レベルを精確に検出するのを可能にする解決策を提案する、という目的に基づいている。
【課題を解決するための手段】
【００２２】
この目的は、請求項１〜３によるデバイスによって実現され、このシステムは、図１〜図４及び以下の実施形態の説明で、より詳細に説明する。この実施形態は、マガジンヘッド１及び交換マガジン２から成る電極キャップ用マガジンの例を使用した、本発明による、目的に対する解決策を示す。しかし、先行技術からすでに知られている単一片の電極キャップ用マガジンにおいて、本発明による解決策を使用することも可能である。
【図面の簡単な説明】
【００２３】
【図１】連結解除状態の、センサ７及び計測面８を伴う、本発明による充填レベル検出を有する電極キャップ用マガジンの詳細図である。
【図２】各電極キャップ用チャネル５に１つのセンサ７を伴う、２チャネル式マガジンヘッド１を示す図である。
【図３】充填レベル検出を伴う、電極キャップ用マガジンのセンサ７から計測面８における、計測ビームの詳細図である。
【図４】連結状態の、本発明による充填レベル検出を伴う、電極キャップ用マガジンを示す図である。
【発明を実施するための形態】
【００２４】
本発明による電極キャップ用マガジンは、マガジンヘッド１及び取替可能マガジン２から成る。取替可能マガジン２をマガジンヘッド１に接続するため、クイック解放デバイス４及び４ａは、テンショナー４がマガジンヘッド１に配置されるよう、及びテンションフック４ａが取替可能マガジン２に配置されるよう、位置付けられる。この配置は技術的に理にかなっている。なぜなら、取替可能マガジン２は、マガジンヘッド１に向かって、テンショナー４の力が作動される方向に動き、それによってその機能的位置方向に荷重力を受けるからである。
【００２５】
マガジンヘッド１及び取替可能マガジン２を接続するとき、それら２つのアセンブリが確実に所定の位置となるよう、少なくとも１つのガイド要素が配置される。
【００２６】
このガイド要素は、好ましくはその形状及び寸法公差に関して、容易に係合でき、かつマガジンヘッド１及び取替可能マガジン２が、互いに対して確実に所定の位置となるよう、設計される。
【００２７】
電極キャップ３は、取替可能マガジン２及びマガジンヘッド１の中に格納され、それによって、例示的実施形態及び図による取替可能マガジン２及びマガジンヘッド１には、２つの電極キャップ用チャネル５が装着される。電極キャップ用チャネル５は、取替可能マガジン２の長手方向軸に平行、かつマガジンヘッド１においても同じ配置で位置付けられる。
【００２８】
電極キャップ用チャネル５は、取替可能マガジン２及びマガジンヘッド１の中で対角線上にオフセットされて取り付けられ、それによって電極キャップの接触面は互いに面し、かつ対角線上にオフセットされる。
【００２９】
しかし、本発明のコンセプトは、１つもしくは複数の電極キャップ用チャネル５、または１つもしくは複数のキャップガイドのみが装着された、技術的設計も含む。
【００３０】
電極キャップ３の開口部を外側に向けた、取替可能マガジン２及びマガジンヘッド１における電極キャップ３の配置を介して、溶接ガンは、電極キャップ３の取出し用開口部の中に延びて、電極シャフトを用いて電極キャップ３を取り付けるのを可能にする。
【００３１】
複数の電極キャップ用チャネルが使用される場合、取替可能マガジン２及びマガジンヘッド１の断面は、対角線上にオフセットされて互いに面するよう配置される。電極キャップ用チャネル５のこの配置は、ユニットの可能な限り小さいサイズを実現するよう選択される。なぜなら、それによってデバイスの全高は、２つの対向するキャップの高さに、キャップガイドを分離する壁の壁厚を加えた高さ未満になるためである。
【００３２】
先行技術によると、電極キャップ用チャネル５は、小さい力で電極キャップ３を搬送するよう、かつ、特に取替可能マガジン２とマガジンヘッド１との間の接点において、キャップ３が傾いて電極キャップ用チャネル５の中で詰まるのを防止するよう、設計される。これは、電極キャップ用チャネル５を、電極キャップ３に適切な許容値を加えたものと同じ形状で設計することによって、実現される。
【００３３】
マガジンヘッド１及び取替可能マガジン２の精確な接続のための、公知の技術的解決策は、独国特許出願公開第１０２００９０５８９３７号明細書に記載されている。
【００３４】
全ての電極キャップ用チャネル５において、直線的に可動に配置され、好ましくはバネ力で荷重をかけられた、少なくとも１つのキャップコンベヤ６が存在し、それは電極キャップ用チャネル５に位置された電極キャップ３を、マガジンヘッド１に向けて動かす。
【００３５】
電極キャップ用チャネル５におけるキャップコンベヤ６の位置は、取替可能マガジン２及びマガジンヘッド１に位置された電極キャップ３の数に依拠する。
【００３６】
少なくとも１つのセンサ７は、距離を計測するためにマガジンヘッド１に配置される。このセンサ７は、取替可能マガジン２の計測用チャネル９における少なくとも１つの計測面８、例えば反射面にビームを放ち、センサ７と計測面８との間の距離を計測する。例えば反射光スキャナを、センサ７として使用することができる。センサ７は、計測面８として作用する反射面にビームを向ける。
【００３７】
計測面８は、電極キャップ用チャネル５に平行に配置された計測用チャネル９において計測が実現されるよう、キャップコンベヤ６に機械的に接続され、そのため、電極キャップ用チャネル５における電極キャップ３の数と、計測用チャネル９における計測面８の位置との間に、直接的な依存関係が存在する。
【００３８】
電極キャップの取出しによる、取替可能マガジン２及びマガジンヘッド１における電極キャップ３の数の変化は、センサ７によって計測される距離を変化させる。
【００３９】
センサによって計測された距離を評価することによって、マガジンヘッド１及び取替可能マガジン２における電極キャップ３の正確な数を、判断することができる。
【００４０】
この利点は、電極キャップ３が個々に再充填されるときの時間を計画可能とすることである。なぜなら、本発明により、特定の充填レベルに到達したことを検出可能であるだけではなく、電極キャップ３の正確な数も判断可能であるからである。
【図１】
2022500247.tif 000003
【図２】
2022500247.tif 000004
【図３】
2022500247.tif 000005
【図４】
2022500247.tif 000006
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
電極キャップ用マガジンを備える溶接電極の電極キャップ用マガジンのための、充填レベルを検出するためのシステムであって、前記電極キャップ用マガジンはマガジンヘッド（１）及び取替可能マガジン（２）を備え、前記取替可能マガジン（２）を前記マガジンヘッド（１）に接続するために、クイック解放デバイス（４及び４ａ）が配置され、少なくとも１つのガイドデバイスが、前記マガジンヘッド（１）及び前記取替可能マガジン（２）が接続されるときに、前記マガジンヘッド（１）及び前記取替可能マガジン（２）の所定の位置を保証するために配置され、前記取替可能マガジン（２）は、少なくとも１つの電極キャップ用チャネル（５）を有し、前記電極キャップ用チャネル（５）の中に、少なくとも１つのキャップコンベヤ（６）が、直線的に可動に配置され、好ましくはバネ力で荷重をかけられ、前記キャップコンベヤ（６）は、前記電極キャップ用チャネル（５）に包含された前記電極キャップ（３）を、溶接ガンがアクセスするための取出し用開口部の方向に動かし、
前記システムは、
機械的に接続された要素を有し、前記要素は、計測面（８）として使用するのに適しており、固定側において、センサ（７）が距離を計測するために配置され、前記センサ（７）は、計測ビームを前記計測面（８）に放ち、前記センサ（７）と前記計測面（８）との間の距離を計測するのに適しており、前記電極キャップ用マガジンに包含された前記電極キャップ（３）の正確な数を、前記センサ（７）によって計測された距離を評価することによって判断できることを特徴とする、充填レベル検出のためのシステム。
【請求項２】
前記電極キャップ用チャネル（５）に平行で、前記計測面（８）を包含する計測用チャネル（９）を有し、前記計測面（８）は、前記キャップコンベヤ（６）に機械的に接続され、計測が、前記電極キャップ用チャネル（５）に平行に配置された計測用チャネル（９）において実行されることを特徴とする、請求項１に記載の充填レベル検出のためのシステム。
【請求項３】
請求項１に記載されている、溶接電極の電極キャップ用マガジンのための、充填レベル検出のためのシステムの使用方法であって、前記電極キャップ用マガジンは、マガジンヘッド（１）及び取替可能マガジン（２）を備え、クイック解放デバイス（４及び４ａ）が、前記取替可能マガジン（２）を前記マガジンヘッド（１）に接続するために配置され、前記マガジンヘッド（１）及び前記取替可能マガジン（２）が接続されたときに、前記マガジンヘッド（１）及び前記取替可能マガジン（２）の所定の位置を保証するための、少なくとも１つのガイドデバイスが配置され、前記取替可能マガジン（２）は少なくとも１つの電極キャップ用チャネル（５）を有し、前記電極キャップ用チャネル（５）の中で少なくとも１つのキャップコンベヤ（６）は直線的に可動に配置され、好ましくはバネ力で荷重をかけられ、前記キャップコンベヤ（６）は、前記電極キャップ用チャネル（５）に包含された前記電極キャップ（３）を、前記マガジンヘッド（１）の方向に動かし、機械的に接続された前記キャップコンベヤ（６）の前記要素は、前記計測面（８）としての機能を有し、固定側において、距離を計測するためのセンサ（７）が配置され、前記センサ（７）は、計測ビームを前記計測面（８）に放ち、前記センサ（７）と前記計測面（８）との間の距離を計測し、前記電極キャップ用マガジンに包含された前記電極キャップ（３）の正確な数が、前記センサ（７）によって計測された距離を評価することによって判断される、充填レベル検出のためのシステムの使用方法。
【国際調査報告】
2022500247.tif 000007
2022500247.tif 000008
2022500247.tif 000009
2022500247.tif 000010